(57)【要約】【課題】  起動運転及び停止運転における復水系統でのエネルギーの無駄な消費を抑えることができ、定格運転時に安定した発電を行うことのできる火力発電設備を提供する。【解決手段】  蒸気タービンから排出される蒸気を水に戻す復水器で得られた水に含まれる不純物を除去する脱塩塔と、復水器内の水を脱塩塔に送る復水ポンプと、蒸気タービンに供給する蒸気を発生させるボイラに給水する給水ポンプに脱塩塔内の水を送る二台以上の復水昇圧ポンプとを備え、一部の復水昇圧ポンプが他の復水昇圧ポンプよりも許容負荷の小さい小出力ポンプで構成されるとともに、残りの復水昇圧ポンプが小出力ポンプよりも許容負荷の大きい大出力ポンプで構成され、発電機の出力が定格出力域の下限値未満であるときに、小出力ポンプのみを駆動し、発電機の出力が定格出力域の下限値以上であるときに、大出力ポンプのみを駆動する。【選択図】図１
2011102539.tif 000002
【特許請求の範囲】
【請求項１】
発電機を駆動する蒸気タービンから排出される蒸気を水に戻す復水器で得られた水に含まれる不純物を除去するための脱塩塔と、復水器内の水を脱塩塔に送る復水ポンプと、蒸気タービンに供給する蒸気を発生させるボイラに給水する給水ポンプに脱塩塔内の水を送る二台以上の復水昇圧ポンプとを備えた火力発電設備において、前記二台以上の復水昇圧ポンプのうちの一部の復水昇圧ポンプが他の復水昇圧ポンプよりも許容負荷の小さい小出力ポンプで構成されるとともに、残りの復水昇圧ポンプが小出力ポンプよりも許容負荷の大きい大出力ポンプで構成され、発電機の出力が定格出力域の下限値未満であるときに、小出力ポンプのみを駆動し、発電機の出力が定格出力域の下限値以上であるときに、大出力ポンプのみを駆動することを特徴とする火力発電設備。
【請求項２】
前記大出力ポンプが二台以上設けられ、発電機の出力が定格出力域内に予め設定された出力値になると、発電機の出力の増減に対応して大出力ポンプの駆動台数が増減するように構成されている請求項１に記載の火力発電設備。
【請求項３】
発電機を駆動する蒸気タービンから排出される蒸気を水に戻す復水器で得られた水に含まれる不純物を除去するための脱塩塔と、復水器内の水を脱塩塔に送る復水ポンプと、蒸気タービンに供給する蒸気を発生させるボイラに給水する給水ポンプに脱塩塔内の水を送る二台以上の復水昇圧ポンプとを備えた火力発電設備の運転方法において、前記二台以上の復水昇圧ポンプのうちの一部の復水昇圧ポンプが他の復水昇圧ポンプよりも許容負荷の小さい小出力ポンプで構成されるとともに、残りの復水昇圧ポンプが小出力ポンプよりも許容負荷の大きい大出力ポンプで構成され、発電機の出力が定格出力域の下限値未満であるときに、小出力ポンプのみを駆動させ、発電機の出力が定格出力域の下限値以上であるときに、大出力ポンプのみを駆動させることを特徴とする火力発電設備の運転方法。
【請求項４】
前記大出力ポンプが二台以上設けられ、発電機の出力が定格出力域内に予め設定された出力値になると、発電機の出力の増減に対応して大出力ポンプの駆動台数を増減させる請求項３に記載の火力発電設備の運転方法。
【発明の詳細な説明】
【技術分野】
【０００１】
本発明は、火力発電設備及び火力発電設備の運転方法に関し、より詳しくは、発電機を駆動する蒸気タービンから排出される蒸気を水に戻す復水器で得られた水に含まれる不純物を除去するための脱塩塔と、復水器内の水を脱塩塔に送る復水ポンプと、蒸気タービンに供給する蒸気を発生させるボイラに給水する給水ポンプに脱塩塔内の水を送る二台以上の復水昇圧ポンプとを備えた火力発電設備、及び火力発電設備の運転方法に関する。
【背景技術】
【０００２】
一般的に、火力発電設備は、水を加熱して蒸気にするボイラと、該ボイラで発生させた蒸気で駆動する蒸気タービンと、該蒸気タービンの駆動を受けて発電する発電機と、蒸気タービンから排出される蒸気を冷却して水（飽和水）にするための復水器と、復水器で得られた水をボイラに供給する給水ポンプと、復水器に冷却水を供給する循環ポンプとを備えている。
【０００３】
すなわち、この種の火力発電設備は、復水器で得られた水を給水ポンプに送るべく、復水器と給水ポンプとを繋ぐ復水系統と、復水系統からの水をボイラに供給すべく、給水ポンプとボイラとを繋ぐ給水系統と、ボイラで発生させた蒸気を蒸気タービンに供給し、該蒸気タービンが排出した蒸気を復水器に送るべく、蒸気タービンを介してボイラと復水器とを繋ぐ蒸気系統とを備えている。
【０００４】
前記復水系統は、復水器で得られた水に含まれる不純物を除去するための脱塩塔と、復水器で得られた水を脱塩塔に送る復水ポンプと、脱塩塔からの水を給紙ポンプに向けて送る復水昇圧ポンプとを備えている（例えば、特許文献１及び２参照）。
【０００５】
前記復水ポンプ及び復水昇圧ポンプは、それぞれ二台以上設けられている。すなわち、復水ポンプ及び復水昇圧ポンプは、復水器から得られた水を給水ポンプに必要量安定して送ることができるように、それぞれ二台以上設けられている。
【０００６】
そして、復水ポンプは、電源電圧が復水昇圧ポンプの電源電圧よりも低圧に設定されている。具体的には、復水系統は、復水器に比して圧力損失の大きな脱塩塔が設けられているため、復水ポンプで送った水が脱塩塔を通過するに当って水圧が低下することから、脱塩塔の下流側に復水昇降ポンプが設置されている。これにより、復水系統は、復水昇圧ポンプによって水圧の低下を補償し、脱塩塔からの水（処理済みの水）を給水ポンプに安定して送ることができるようになっている。
【０００７】
そして、復水系統では、復水ポンプと復水昇圧ポンプの設置箇所の相違で、運転時における各ポンプの負荷が異なる（復水昇圧ポンプの負荷が復水ポンプの負荷よりも大きくなる）ことから、起動時や通常運転時の電流等を考慮して、通常、復水昇圧ポンプの電源電圧が復水ポンプの電源電圧よりも高圧に設定され、例えば、復水ポンプの電源が４４０Ｖである場合、復水昇圧ポンプの電源が６６００Ｖに設定される。
【０００８】
ここで、上記火力発電設備の運転（起動）手順について説明すると、運転を開始する起動運転において、まず、循環系統を駆動し、その後に復水系統を駆動する。すなわち、循環ポンプを駆動して復水器に冷却水を供給した後、復水ポンプを駆動するとともに、二台以上の復水昇圧ポンプのうちの一部（例えば、一台）の復水昇圧ポンプを駆動し、復水器内にある水を下流側に送水して復水器内の真空度を高める。すなわち、復水ポンプ及び復水昇圧ポンプを駆動して復水器内にある水を下流側に送水することで復水系統内に設けられたエゼクタを作動させ、復水器の真空度を高める。
【０００９】
そして、復水器の真空度が所定の真空度に到達すると、給水ポンプを駆動して復水系統からの水をボイラに供給する。そうすると、ボイラ内に水が溜まり、その水が蒸気となって蒸気系統に供給される。これにより、蒸気タービンが駆動して発電機が発電を開始し、蒸気タービンから排出された蒸気が復水器に送られることになる。
【００１０】
そして、このように発電機が発電を開始すると、該発電機の出力が次第に増していくことになり、該出力が定格出力域よりも低い低出力域の下限値に到達すると、発電した電力の送電が開始される。これに伴い、発電機の負荷（出力）が徐々に高まることになるため、復水系統において発電機の出力に応じた水量で復水器の水を給水ポンプに向けて送り、復水器の真空度を発電機の出力（負荷）に対応させる。
【００１１】
そして、復水系統において、発電機の出力が定格出力域よりも低い低出力域から脱すると（定格出力域で予め設定された出力値になると）、復水昇圧ポンプの駆動台数を増やし、発電機の出力に対応した水量で復水器内の水が給水ポンプに供給され、定格運転が行われる。
【００１２】
これに対し、運転を停止する停止運転において、前記火力発電設備は、ボイラから蒸気タービンに供給する蒸気を徐々に減らして発電機の出力を低下させ、該出力が定格出力域から脱して低出力域に入ると、復水昇圧ポンプの一部を停止して復水昇圧ポンプの駆動台数を減らし、起動運転時と同一の台数の復水昇圧ポンプを駆動させ続ける。
【００１３】
そして、発電機の出力が低出力域の下限値に到達すると、送電線に対する送電が停止状態（解列状態）にされ、発電機の出力が送電することのできない（並列状態を維持できない）非常に小さな出力になった後、残りの復水ポンプ及び復水昇圧ポンプが停止される。
【先行技術文献】
【特許文献】
【００１４】
【特許文献１】特開２００８−２６１３１６号公報
【特許文献２】特開２００８−２６１３１７号公報
【発明の概要】
【発明が解決しようとする課題】
【００１５】
ところで、上記火力発電設備は、発電機の出力が所定の出力値（一般的には、定格出力域の下限値）になると、発電機の出力傾向（出力の増加、又は出力の低下）に対応させて復水系統の水量を増減させるべく、復水昇圧ポンプの駆動台数を変更するようにしているが、復水昇圧ポンプの吐出性能は、発電機の出力が大出力であるときにその状態に見合った水量の水を供給できるように設定されているため、起動運転や停止運転のように発電機の出力が小さな状態では、一部の復水昇圧ポンプのみを駆動したとしてもポンプ容量の余裕度が大きく、エネルギーを無駄に消費するといった問題がある。
【００１６】
そこで、本発明は、起動運転及び停止運転における復水系統でのエネルギーの無駄な消費を抑えることができ、定格運転時に安定した発電を行うことのできる火力発電設備、及び火力発電設備の運転方法を提供することを課題とする。
【課題を解決するための手段】
【００１７】
本発明に係る火力発電設備は、発電機を駆動する蒸気タービンから排出される蒸気を水に戻す復水器で得られた水に含まれる不純物を除去するための脱塩塔と、復水器内の水を脱塩塔に送る復水ポンプと、蒸気タービンに供給する蒸気を発生させるボイラに給水する給水ポンプに脱塩塔内の水を送る二台以上の復水昇圧ポンプとを備えた火力発電設備において、前記二台以上の復水昇圧ポンプのうちの一部の復水昇圧ポンプが他の復水昇圧ポンプよりも許容負荷の小さい小出力ポンプで構成されるとともに、残りの復水昇圧ポンプが小出力ポンプよりも許容負荷の大きい大出力ポンプで構成され、発電機の出力が定格出力域の下限値未満であるときに、小出力ポンプのみを駆動し、発電機の出力が定格出力域の下限値以上であるときに、大出力ポンプを駆動することを特徴とする。
【００１８】
上記構成の火力発電設備によれば、前記二台以上の復水昇圧ポンプのうちの一部の復水昇圧ポンプが他の復水昇圧ポンプよりも許容負荷の小さい小出力ポンプで構成されるとともに、残りの復水昇圧ポンプが小出力ポンプよりも許容負荷の大きい大出力ポンプで構成され、発電機の出力が定格出力域の下限値未満であるときに、小出力ポンプのみを駆動するようにしているため、起動運転や停止運転のように発電機の出力が小さな状態において、少ないエネルギーで小出力ポンプを駆動し、その状態に応じた水量で脱塩塔内の水を給水ポンプに送ることができる。また、上記火力発電設備は、発電機の出力が定格出力域の下限値以上であるときに、大出力ポンプを駆動するため、定格運転のように発電機の出力が大きなときに、その発電機の負荷に応じた水量で脱塩塔内の水を給水ポンプに供給することができる。これにより、上記火力発電設備は、起動運転及び停止運転における復水系統でのエネルギーの無駄な消費を抑えることができ、定格運転時に安定した発電を行うことができる。
【００１９】
また、本発明の一態様として、前記大出力ポンプが二台以上設けられ、発電機の出力が定格出力域内に予め設定された出力値になると、発電機の出力の増減に対応して大出力ポンプの駆動台数が増減するように構成されていることが好ましい。このようにすれば、発電機の出力が高出力となる定格出力域にある場合にその定格出力域内での出力の変動に応じた台数の大出力ポンプが駆動される。従って、発電機の出力が定格出力域にあるときにおいても、過剰なエネルギーを消費することなく、発電機の出力状態に応じた水量で脱塩塔内の水を給水ポンプに送ることができる。
【００２０】
本発明に係る火力発電設備の運転方法は、発電機を駆動する蒸気タービンから排出される蒸気を水に戻す復水器で得られた水に含まれる不純物を除去するための脱塩塔と、復水器内の水を脱塩塔に送る復水ポンプと、蒸気タービンに供給する蒸気を発生させるボイラに給水する給水ポンプに脱塩塔内の水を送る二台以上の復水昇圧ポンプとを備えた火力発電設備の運転方法において、前記二台以上の復水昇圧ポンプのうちの一部の復水昇圧ポンプが他の復水昇圧ポンプよりも許容負荷の小さい小出力ポンプで構成されるとともに、残りの復水昇圧ポンプが小出力ポンプよりも許容負荷の大きい大出力ポンプで構成され、発電機の出力が定格出力域の下限値未満であるときに、小出力ポンプのみを駆動させ、発電機の出力が定格出力域の下限値以上であるときに、大出力ポンプを駆動させることを特徴とする。
【００２１】
上記構成の火力発電設備の運転方法によれば、前記二台以上の復水昇圧ポンプのうちの一部の復水昇圧ポンプが他の復水昇圧ポンプよりも許容負荷の小さい小出力ポンプで構成されるとともに、残りの復水昇圧ポンプが小出力ポンプよりも許容負荷の大きい大出力ポンプで構成され、発電機の出力が定格出力域の下限値未満であるときに、小出力ポンプのみを駆動させるため、起動運転や停止運転のように発電機の出力が小さな状態において、少ないエネルギーで小出力ポンプを駆動し、その状態に応じた水量で脱塩塔内の水を給水ポンプに送ることができる。また、上記火力発電設備の運転方法は、発電機の出力が定格出力域の下限値以上であるときに、大出力ポンプを駆動させるため、定格運転のように発電機の出力が大きなときに、その発電機の負荷に応じた水量で脱塩塔内の水を給水ポンプに供給することができる。これにより、上記火力発電設備の運転方法は、起動運転及び停止運転における復水系統でのエネルギーの無駄な消費を抑えることができ、定格運転時に安定した発電を行うことができる。
【００２２】
また、本発明の一態様として、前記大出力ポンプが二台以上設けられ、発電機の出力が定格出力域内に予め設定された出力値になると、発電機の出力の増減に対応して大出力ポンプの駆動台数を増減させることが好ましい。このようにすれば、発電機の出力が高出力となる定格出力域にある場合にその定格出力域内での出力の変動に応じた台数の大出力ポンプが駆動される。従って、発電機の出力が定格出力域にあるときにおいても、過剰なエネルギーを消費することなく、発電機の出力状態に応じた水量で脱塩塔内の水を給水ポンプに送ることができる。
【発明の効果】
【００２３】
以上のように、本発明に係る火力発電設備によれば、起動運転及び停止運転における復水系統でのエネルギーの無駄な消費を抑えることができ、定格運転時に安定した発電を行うことができるという優れた効果を奏し得る。
【００２４】
また、本発明に係る火力発電設備の運転方法によれば、起動運転及び停止運転における復水系統でのエネルギーの無駄な消費を抑えることができ、定格運転時に安定した発電を行うことができるという優れた効果を奏し得る。
【図面の簡単な説明】
【００２５】
【図１】本発明の一実施形態に係る火力発電設備の概略概念図を示す。
【図２】同実施形態に係る火力発電設備の復水系統の概念図を示す。
【発明を実施するための形態】
【００２６】
以下、本発明の一実施形態に係る火力発電設備について添付図面を参照しつつ説明する。
【００２７】
かかる火力発電設備は、図１に示す如く、水を加熱して蒸気にするボイラ１０と、該ボイラ１０で発生させた蒸気で駆動する蒸気タービン２０，２１，２２，２３と、該蒸気タービン２０，２１，２２，２３の駆動を受けて発電する発電機３０と、蒸気タービン２０，２１，２２，２３から排出される蒸気を冷却して水（飽和水）にするための復水器４０と、復水器４０で得られた水をボイラ１０に供給する給水ポンプ５０，５１と、復水器４０に冷却水を供給する循環ポンプ８０，８１とを備えている。
【００２８】
すなわち、該火力発電設備１は、復水器４０で得られた水を給水ポンプ５０，５１に送るべく、復水器４０と給水ポンプ５０，５１とを繋ぐ復水系統ＷＬａと、復水系統ＷＬａからの水をボイラ１０に供給すべく、給水ポンプ５０，５１とボイラ１０とを繋ぐ給水系統ＷＬｂと、ボイラ１０で発生させた蒸気を蒸気タービン２０，２１，２２，２３に供給し、該蒸気タービン２０，２１，２２，２３が排出した蒸気を復水器４０に送るべく、蒸気タービン２０，２１，２２，２３を介してボイラ１０と復水器４０とを繋ぐ蒸気系統ＳＬとを備えている。
【００２９】
前記ボイラ１０は、給水系統ＷＬｂから供給される水を蒸発させる蒸発器１１と、蒸発器１１で蒸発させた飽和蒸気を過熱する過熱器１２と、蒸発タービン（後述する高圧タービン）２０からの排気（蒸気）を過熱する再熱器１３とを備えている。そして、本実施形態に係るボイラ１０は、過熱器１２よって過熱した蒸気を蒸気タービン（高圧タービン）２０に供給し、再熱器１３によって過熱した蒸気を別の蒸気タービン（後述する一段目の中圧タービン）２１に供給するようになっている。
【００３０】
本実施形態に係る火力発電設備１は、蒸気タービン２０，２１，２２，２３として、高圧タービン２０、中圧タービン２１，２２、及び低圧タービン２３を備えており、高圧タービン２０、及び低圧タービン２３が一台ずつ設けられ、中圧タービン２１，２２が二台設けられている。
【００３１】
そして、これらの蒸気タービン２０，２１，２２，２３は、高圧タービン２０、中圧タービン２１、中圧タービン２２、低圧タービン２３の順でそれぞれの出力軸が同軸になるように並列に配置され、出力軸が隣り合う蒸気タービン２０，２１，２２，２３の出力軸に連結されている。そして、前記発電機３０は、蒸気タービン２０，２１，２２，２３に対して横並びに配置されており、入力軸が低圧タービン２３の出力軸に接続されている。これにより、発電機３０は、高圧タービン２０、中圧タービン２１，２２、及び低圧タービン２３の駆動を受けて発電するようになっている。
【００３２】
前記復水器４０は、蒸気タービン２２，２３の排気（蒸気）を冷却して水にするもので、本実施形態においては、蒸気タービン２２，２３（二段目の中圧タービン２２及び低圧タービン２３）からの蒸気が導入される内部空間を画定するハウジング４００と、該ハウジング４００内に配設され、前記循環系統ＲＬからの冷却水を流通させる冷却管４０１とを備え、ハウジング４００内に導入された蒸気を冷却管４０１内の冷却水によって間接的に冷却し、これによって蒸気を凝縮させて水にするようになっている。すなわち、本実施形態に係る復水器４０には、表面復水器が採用されている。
【００３３】
前記給水ポンプ５０，５１は、上述の如く、二台以上設けられており、その一部の給水ポンプ５０が電動で駆動する電動式のポンプで構成され、残りの給水ポンプ５１が蒸気で駆動する蒸気タービン式のポンプで構成されている。本実施形態において、給水ポンプ５０，５１が二台設けられており、そのうちの一台の給水ポンプ５０が電動で駆動する電動式のポンプ（以下、この給水ポンプ５０を電動式給水ポンプという）で構成され、残りの一台の給水ポンプ５１が蒸気で駆動する蒸気タービン式のポンプ（以下、この給水ポンプ５１を蒸気駆動式給水ポンプという）で構成されている。
【００３４】
そして、電動式給水ポンプ５０は、発電機３０の出力が定格出力域よりも低い低出力域（以下、ＬＬＯ域という）に設定された出力値未満であるときに駆動するようになっている。これに対し、蒸気駆動式給水ポンプ５１は、発電機３０の出力がＬＬＯ域内に設定された出力値以上であるときに駆動するようになっている。なお、ここで「定格出力域」とは、火力発電設備１の設計仕様である発電機３０の定格（安定）運転時の出力範囲を意味する。
【００３５】
ここで上記各系統ＷＬａ，ＷＬｂ，Ｓｂ，Ｒｂについて具体的に説明する。各系統ＷＬａ，ＷＬｂ，Ｓｂ，Ｒｂは、前記ボイラ１０、復水器４０、給水ポンプ５０，５１を基準に区画されている。
【００３６】
前記復水系統ＷＬａは、図２に示す如く、発電機３０を駆動する蒸気タービン２０，２１，２２，２３から排出される蒸気を水に戻す復水器４０で得られた水に含まれる不純物を除去するための脱塩塔５２と、復水器４０内の水を脱塩塔５２に送る復水ポンプ５３ａ，５３ｂと、蒸気タービン２０，２１，２２，２３に供給する蒸気を発生させるボイラ１０に給水する給水ポンプ５０，５１に脱塩塔５２内の水を送る二台以上の復水昇圧ポンプ５４ａ，５４ｂ，５４ｃとを備えている。
【００３７】
さらに、復水系統ＷＬａは、復水昇圧ポンプ５４ａ，５４ｂ，５４ｃの下流側（復水昇圧ポンプ５４ａ，５４ｂ，５４ｃと給水ポンプ５０，５１との間）に、復水器４０で得られた水と蒸気タービン２０，２１，２２，２３の軸受け冷却水として使用された水とを熱交換させる復水熱交換器５５や、復水器４０の真空度を維持するために内部の空気を抽出するエゼクタ５６、蒸気タービン２０，２１，２２，２３の軸シール水と熱交換するグランドコンデンサ５７、熱回収やフラッシング防止のためにドレンを冷却するドレンクーラ５８、蒸気タービン２０，２１，２２，２３からの抽気で水を加熱する低圧給水加熱器５９、蒸気によって水を直接加熱し、水に含まれる溶存ガスを物理的に分離除去する脱気器６０等が設けられている。
【００３８】
本実施形態に係る火力発電設備１は、前記復水ポンプ５３ａ，５３ｂが二台以上設けられており、該二台以上の復水ポンプ５３ａ，５３ｂが協働して復水器４０内の水を下流側（脱塩塔５２）に送るようになっている。本実施形態においては、復水ポンプ５３ａ，５３ｂが二台設けられており、該二台の復水ポンプ５３ａ，５３ｂが協働して送水するようになっている。
【００３９】
そして、復水ポンプ５３ａ，５３ｂは、復水昇圧ポンプ５４ａ，５４ｂ，５４ｃの後述する小出力ポンプ５４ａと同様の許容負荷のポンプが採用されている。すなわち、復水ポンプ５３ａ，５３ｂは、許容負荷が復水昇圧ポンプ５４ａ，５４ｂ，５４ｃの後述する高出力ポンプ５４ｂ，５４ｃの許容負荷よりも低いポンプが採用されている。これに伴い、復水ポンプ５３ａ，５３ｂの電源は、高出力ポンプ５４ｂ，５４ｃの電源よりも電圧が低くなっており、本実施形態においては、高出力ポンプ５４ｂ，５４ｃの電源電圧が６６００Ｖであるのに対し、復水ポンプ５３ａ，５３ｂの電源電圧は４４０Ｖになっている。
【００４０】
前記二台以上の復水昇圧ポンプ５４ａ，５４ｂ，５４ｃは、そのうちの一部の復水昇圧ポンプ５４ａが他の復水昇圧ポンプ５４ｂ，５４ｃよりも許容負荷の小さい小出力ポンプで構成され、残りの復水昇圧ポンプ５４ｂ，５４ｃが小出力ポンプ５４ａよりも許容負荷の大きい大出力ポンプで構成されている。そして、前記大出力ポンプ５４ｂ，５４ｃは、二台以上設けられる。具体的には、本実施形態において、復水昇圧ポンプ５４ａ，５４ｂ，５４ｃは、三台設けられており、そのうちの一台の復水昇圧ポンプ５４ａが小出力ポンプで構成され、残りの二台の復水昇圧ポンプ５４ｂ，５４ｃが大出力ポンプで構成されている。
【００４１】
前記小出力ポンプ５４ａは、復水ポンプ５３ａ，５３ｂと同様の許容負荷のポンプが採用されている。そして、該小出力ポンプ５４ａの電源は、高出力ポンプ５４ｂ，５４ｃの電源よりも電圧が低くなっており、本実施形態においては、高出力ポンプ５４ｂ，５４ｃの電源電圧が６６００Ｖであるのに対し、小出力ポンプ５４ａ電源電圧は４４０Ｖになっている。
【００４２】
本実施形態に係る火力発電設備１は、発電機３０の出力が定格出力域の下限値未満であるとき（ＬＬＯ域にあるとき）に、小出力ポンプ５４ａのみを駆動し、発電機３０の出力が定格出力域の下限値以上であるとき（定格出力域にあるとき）に、大出力ポンプ５４ｂ，５４ｃのみを駆動するようになっている。
【００４３】
すなわち、該火力発電設備１は、運転を開始する起動運転のように発電機３０の出力が増加傾向にある場合、発電機３０の出力が定格出力域の下限値に到達するまで、小出力ポンプ５４ａのみが駆動し、発電機３０の出力が定格出力域の下限値に到達すると小出力ポンプ５４ａを停止して大出力ポンプ５４ｂ，５４ｃが駆動する一方、運転を停止する停止運転のように発電機３０の出力が減少傾向にある場合、発電機３０の出力が定格出力域の下限値に到達するまで、大出力ポンプ５４ｂ，５４ｃのみが駆動し、発電機３０の出力が定格出力域の下限値に到達すると大出力ポンプ５４ｂ，５４ｃを停止して小出力ポンプ５４ａのみが駆動するようになっている。
【００４４】
また、該火力発電設備１は、上述の如く前記大出力ポンプ５４ｂ，５４ｃが二台以上（本実施形態においては二台）設けられることを前提に、発電機３０の出力が定格出力域内に予め設定された出力値（以下、台数切換出力値という）になると、発電機３０の出力の増減（増減の傾向）に対応して大出力ポンプ５４ｂ，５４ｃの駆動台数が増減するように構成されている。すなわち、該火力発電設備１は、発電機３０の出力が定格出力域内にあり、且つ台数切換出力値以上である場合に、多くの大出力ポンプ５４ｂ，５４ｃを駆動し、発電機３０の出力が定格出力域内にあり、且つ台数切換出力値未満である場合に、発電機３０の出力が台数切換出力値以上であるときよりも少ない台数の大出力ポンプ５４ｂを駆動するようになっている。
【００４５】
本実施形態においては、大出力ポンプ５４ｂ，５４ｃが二台設けられているため、発電機３０の出力が定格出力域内にあり、且つ台数切換出力値以上である場合に、二台の大出力ポンプ５４ｂ，５４ｃを駆動し、発電機３０の出力が定格出力域内にあり、且つ台数切換出力値未満である場合に、一台の大出力ポンプ５４ｂを駆動するようになっている。
【００４６】
図１に戻り、前記給水系統ＷＬｂは、給水ポンプ５０，５１で送り出された水を蒸気タービン２０，２１，２２，２３からの抽気で加熱する高圧給水加熱器７０を備えている。そして、上述の如く、給水ポンプ５０，５１の一部（一台）が電動式給水ポンプで、残りの給水ポンプ５１が蒸気タービン式の蒸気駆動式給水ポンプで構成されているため、給水系統ＷＬｂにおいて、起動運転時や停止運転時のように発電機３０の出力が小さく、復水器４０に対する熱負荷が小さいときに、電動式給水ポンプ５０でボイラ１０に給水し、定格運転時のように発電機３０の出力が大きく、復水器４０に対する熱負荷が大きいときに、蒸気駆動式給水ポンプ５１でボイラ１０に給水するようになっている。すなわち、本実施形態に係る給水系統ＷＬｂは、発電機３０の出力が予め設定された出力値になったときに、駆動する給水ポンプ５０，５１を電動式給水ポンプ５０から蒸気駆動式給水ポンプ５１に、或いは、蒸気駆動式給水ポンプ５１から電動式給水ポンプ５０に切り換えてボイラ１０に給水するようになっている。
【００４７】
前記蒸気系統ＳＬは、蒸気タービン２０，２１，２２，２３が上述のように配列されることを前提に、ボイラ１０と高圧タービン２０の吸気側とを接続した第一スチーム管路ＳＬ１、高圧タービン２０の排気側とボイラ１０内の再熱器１３とを接続した第二スチーム管路ＳＬ２、再熱器１３と一方（一段目）の中圧タービン２１の吸気側とを接続した第三スチーム管路ＳＬ３、一方（一段目）の中圧タービン２１の排気側と他方（二段目）の中圧タービン２２の吸気側、及び低圧タービン２３の吸気側とを接続した第四スチーム管路ＳＬ４、他方（二段目）の中圧タービン２２の排気側、及び低圧タービン２３の排気側と復水器４０とを接続する第五スチーム管路ＳＬ５を備えている。
【００４８】
なお、本実施形態に係る火力発電設備１の蒸気系統ＳＬは、上述のスチーム管路ＳＬ１〜ＳＬ５に加え、ボイラ１０と高圧タービン２０とを接続する第一スチーム管路ＳＬ１からバルブＢを介して分岐し、復水器４０に繋がるバイパス管路ＳＬ６を備えている。
【００４９】
前記循環系統ＲＬは、上述の如く、二台以上の循環ポンプ８０，８１を備えており、本実施形態においては、二台の循環ポンプ８０，８１を備えている。ここで、循環系統ＲＬについて具体的に説明すると、本実施形態に係る循環系統ＲＬは、水源（本実施形態においては海）に繋がる取水路８２と、水源から取水路８２に取り入れた冷却水を復水器４０に供給する前記二台の循環ポンプ８０，８１と、復水器４０で熱交換（蒸気の冷却）に利用された冷却水を水源に戻す放水路８３とを備えており、前記二台の循環ポンプ８０，８１は取水路８２上に設けられている。なお、本実施形態において循環系統ＲＬの水源は海であるが、発電設備１の立地条件によっては、河川が循環系統ＲＬの水源とされる場合がある。
【００５０】
本実施形態に係る火力発電設備１は、以上の通りであり、次に、上記火力発電設備１の運転方法について図１及び図２を参照して説明する。なお、以下の説明においては、発電機３０の定格出力域を１０５ＭＷ以上で３２０ＭＷ以下に、台数切換出力値を１７５ＭＷに、ＬＬＯ域を１０．５ＭＷ以上で１０５ＭＷ未満に設定した場合を一例に、復水系統ＷＬａにおける運転に関連する事項を重点に説明することとする。
【００５１】
まず、火力発電設備１の運転を開始する起動運転について説明する。起動前の火力発電設備１は、送電線に対して解列状態になっている。そして、該火力発電設備１は、運転を開始する起動運転において、まず、循環系統ＲＬを駆動し、その後に復水系統ＷＬａを駆動する。すなわち、一方の循環ポンプ８０を駆動して復水器４０に冷却水を供給した後、復水ポンプ５３ａ，５３ｂを駆動するとともに、二台以上の復水昇圧ポンプ５４ａ，５４ｂ，５４ｃのうち、小出力ポンプ５４ａのみを駆動し、復水器４０内にある水を下流側に送水してエゼクタ５６を作動させて復水器４０内の真空度を高める。
【００５２】
そして、復水器４０の真空度が所定の真空度に到達すると、給水ポンプ（電動式給水ポンプ）５０を駆動して復水系統ＷＬａからの水をボイラ１０に供給する。そうすると、ボイラ１０内に水が溜まり、その水が蒸気となって蒸気系統ＳＬ（第一スチーム管路ＳＬ１、バイパス管路ＳＬ６）に供給される。これにより、蒸気タービン２０，２１，２２，２３が駆動して発電機３０が発電を開始し、蒸気タービン２０，２１，２２，２３から排出された蒸気が復水器４０に送られることになる。
【００５３】
そして、このように発電機３０が発電を開始すると、該発電機３０の出力が次第に増していくことになり、予め設定された出力値（例えば、ＬＬＯ域の下限値である１０．５ＭＷ）になったときに、一方の循環ポンプ８０に加えて他方の循環ポンプ８１が駆動し、これらが協働して循環系統ＲＬ内で冷却水を循環させる。
【００５４】
そして、発電機３０の出力が予め設定された出力値（例えば、ＬＬＯ域の下限値である１０．５ＭＷ）に到達すると、発電した電力の送電が開始される。これに伴い、発電機３０の出力が徐々に高まることになるため、復水系統ＷＬａにおいて小出力ポンプ５４ａが許容負荷の範囲で駆動して発電機３０の出力に応じた水量の水（復水器の水）を給水ポンプ５１に向けて送り、復水器４０の真空度を発電機３０の出力（負荷）に対応させる。なお、このように発電機３０の出力が増加傾向にあるときは、該出力が予め設定された出力値（例えば、ＬＬＯ域（１０．５ＭＷ以上で１０５ＭＷ未満）内の出力値である８０ＭＷ）になると、電動式給水ポンプ５０が停止して蒸気駆動式給水ポンプ５１による給水が開始する。
【００５５】
そして、発電機３０の出力が増加して定格出力域（１０５ＭＷ以上で３２０ＭＷ以下）の下限値（１０５ＭＷ）になると、小出力ポンプ５４ａを停止させるのに対し、一方の大出力ポンプ５４ｂを駆動する。すなわち、発電機３０の出力が定格出力域（１０５ＭＷ以上で３２０ＭＷ以下）よりも低いＬＬＯ域（１０．５ＭＷ以上で１０５ＭＷ未満）から脱すると、復水系統ＷＬａでは、小出力ポンプ５４ａが停止されるのに対し、一方（一台）の大出力ポンプ５４ｂが駆動され、発電機３０の出力に対応した水量で復水器４０内の水が給水ポンプ５１に供給される。なお、発電機３０の出力が定格出力域に到達する前、あるいは定格出力域に到達する（蒸気バランスが整う）と、バイパス管路ＳＬ６への蒸気の供給は停止される。
【００５６】
この状態で、火力発電設備１は、定格運転をしているが、送電に応じた電力量を発電するため、発電機３０の出力は、定格出力域（１０５ＭＷ以上で３２０ＭＷ以下）内で変動することになる。そして、火力発電設備１の起動運転時や送電量（消費電力）の多いときは、発電機３０の出力が増加傾向にあり、台数切換出力値（１７５ＭＷ）になると、一方（一台）の大出力ポンプ５４ｂに加えて他方（一台）の大出力ポンプ５４ｃが駆動し、発電機３０の出力に対応した水量の水を給水ポンプ５１する。これに対し、火力発電設備１の停止運転時や消費電力が少ないときは、発電機３０の出力が減少傾向にあり、台数切換出力値（１７５ＭＷ）になると、二台の大出力ポンプ５４ｂ，５４ｃのうちの一台の大出力ポンプ５４ｃが停止し、一方の大出力ポンプ５４ｂのみが発電機３０の出力に対応した水量の水を給水ポンプ５１する。
【００５７】
これに対し、火力発電を停止する停止運転を行う場合には、ボイラ１０から蒸気タービン２０，２１，２２，２３に供給する蒸気を徐々に減らして発電機３０の出力を低下させる。
【００５８】
そして、発電機３０の出力が減少して定格出力域（１０５ＭＷ以上で３２０ＭＷ以下）の下限値（１０５ＭＷ）を超えてＬＬＯ域（１０．５ＭＷ以上で１０５ＭＷ未満）の上限値になると、大出力ポンプ５４ｂを停止して小出力ポンプ５４ａを駆動する。すなわち、発電機３０の出力が定格出力域（１０５ＭＷ以上で３２０ＭＷ以下）を脱してＬＬＯ域（１０．５ＭＷ以上で１０５ＭＷ未満）になると、復水系統ＷＬａでは、大出力ポンプ５４ｂが停止されるのに対し、小出力ポンプ５４ａが駆動され、発電機３０の出力に対応した水量で復水器４０内の水が給水ポンプ５１に供給される。
【００５９】
そして、発電機３０の出力が予め設定された出力値（例えば、ＬＬＯ域（１０．５ＭＷ以上で１０５ＭＷ未満）内の出力値である８０ＭＷ）になると、蒸気駆動式給水ポンプ５１が停止して電動式給水ポンプ５０による給水が開始する。そして、ＬＬＯ域（１０．５ＭＷ以上で１０５ＭＷ未満）の下限値（１０．５ＭＷ）になると、送電線に対する送電の停止状態（解列状態）にされ、発電機３０の出力が送電することのできない（並列状態を維持できない）非常に小さな出力になった後、復水ポンプ５３ａ，５３ｂ及び小出力ポンプ５４ａが停止される。
【００６０】
このように、本実施形態に係る火力発電設備１は、前記二台以上の復水昇圧ポンプ５４ａ，５４ｂ，５４ｃのうちの一部の復水昇圧ポンプ５４ａが他の復水昇圧ポンプよりも許容負荷の小さい小出力ポンプで構成されるとともに、残りの復水昇圧ポンプ５４ｂ，５４ｃが小出力ポンプよりも許容負荷の大きい大出力ポンプで構成され、発電機３０の出力が定格出力域の下限値未満であるときに、小出力ポンプ５４ａのみを駆動し、発電機３０の出力が定格出力域の下限値以上であるときに、大出力ポンプ５４ｂ，５４ｃのみを駆動するので、起動運転や停止運転のように発電機３０の出力が小さな状態において、少ないエネルギーで小出力ポンプ５４ａを駆動し、その状態に応じた水量で脱塩塔５２内の水を給水ポンプ５０，５１に送ることができ、定格運転のように発電機３０の出力が大きなときに、その発電機３０の負荷に応じた水量で脱塩塔５２内の水を給水ポンプ５０，５１に供給することができる。
【００６１】
従って、本実施形態に係る火力発電設備１は、起動運転及び停止運転における復水系統ＷＬａでのエネルギーの無駄な消費を抑えることができ、定格運転時に安定した発電を行うことができるという優れた効果を奏し得る。
【００６２】
また、本実施形態に係る火力発電設備１は、前記大出力ポンプ５４ｂ，５４ｃが二台以上設けられ、発電機３０の出力が定格出力域内に予め設定された出力値になると、発電機３０の出力の増減に対応して大出力ポンプ５４ｂ，５４ｃの駆動台数が増減するように構成されているので、発電機３０の定格出力域内での出力の変動に応じた台数の大出力ポンプ５４ｂ，５４ｃが駆動され、発電機３０の出力が高出力となる定格出力域にあるときにおいても、過剰なエネルギーを消費することなく、発電機３０の出力状態に応じた水量で脱塩塔５２内の水を給水ポンプ５０，５１に送ることができる。
【００６３】
なお、本発明は、上記実施形態に限定されるものではなく、本発明の要旨を逸脱しない範囲で、適宜変更することは可能である。
【００６４】
上記実施形態において、復水昇圧ポンプとして、小出力ポンプ５４ａを一台設けるとともに、大出力ポンプ５４ｂ，５４ｃを二台設けたが、これに限定されるものではなく、例えば、復水昇圧ポンプとして、小出力ポンプを二台以上設けるとともに、大出力ポンプを三台以上設けるようにしてもよい。この場合においても、発電機３０の出力が小さいときに、小出力ポンプを駆動し、発電機の出力が大きいときに大出力ポンプを駆動するようにしてもよい。すなわち、発電機３０の出力が定格出力域の下限値未満であるときに、小出力ポンプのみを駆動し、発電機３０の出力が定格出力域の下限値以上であるときに、大出力ポンプを駆動するようにすればよい。
【００６５】
上記実施形態において、発電機３０の出力が定格出力域の下限値未満であるときに、小出力ポンプ５４ａのみを駆動し、発電機３０の出力が定格出力域の下限値以上であるときに、大出力ポンプ５４ｂ，５４ｃのみを駆動するようにしたが、これに限定されるものではなく、例えば、発電機３０の出力が定格出力域の下限値未満であるときに、小出力ポンプ５４ａのみを駆動し、発電機３０の出力が定格出力域の下限値以上であるときに、小出力ポンプ５４ａとともに大出力ポンプ５４ｂ，５４ｃを駆動するようにしてもよい。但し、小出力ポンプ５４ａと大出力ポンプ５４ｂ，５４ｃとは、許容負荷が異なるため、復水系統ＷＬａでの圧力バランス等を考慮した配管系（例えば、流量調整弁や圧力調整弁等を適宜配置した配管系）に構成することは言うまでもない。
【００６６】
上記実施形態において、大出力ポンプ５４ｂ，５４ｃを二台設け、発電機３０の定格出力域内に予め設定した一点の出力値（台数切換出力値）を基準に、発電機３０の定格出力域内にあっても、その出力の増減に対応させて大出力ポンプ５４ｂ，５４ｃの駆動台数を変更するようにしたが、これに限定されるものではなく、例えば、大出力ポンプを三台以上設けるとともに、台数切換出力を大出力ポンプの台数に対応させて複数点（大出力ポンプの台数から一つ少ない数の点）設定しておき、発電機３０の出力値が各台数切換出力値を通過するたびに、発電機３０の出力の増減傾向にあわせて大出力ポンプの駆動台数を増減させるようにしてもよい。
【００６７】
また、上記実施形態において、大出力ポンプ５４ｂ，５４ｃを二台設け、発電機３０の定格出力域内に予め設定した出力値（台数切換出力値）を基準に、発電機３０の定格出力域内にあっても、その出力の増減に対応させて大出力ポンプ５４ｂ，５４ｃの駆動台数を変更するようにしたが、これに限定されるものではなく、例えば、発電機３０の出力が定格出力域にあるときに一定台数の大出力ポンプ５４ｂ，５４ｃを駆動するようにしてもよい。このようにしても、発電機３０の出力が小さいときに、小出力ポンプ５４ａのみを駆動させるため、復水系統ＷＬａ内でのエネルギーの無駄な消費を抑えることができる。
【００６８】
上記実施形態において、小出力ポンプ５４ａの電源電圧を４４０Ｖに設定し、大出力ポンプ５４ｂ，５４ｃの電源電圧を６６００Ｖに設定したが、これに限定されるものではなく、例えば、これらのポンプ５４ａ，５４ｂ，５５ｃの電源電圧は、４４０Ｖ、６６００Ｖ以外の電圧であってもよい。また、小出力ポンプ５４ａ及び大出力ポンプ５４ｂ，５４ｃの電源電圧を同一に設定してもよい。
【００６９】
すなわち、ポンプを駆動するエネルギーは、吐出量や吐出圧等の負荷（出力）と対応関係にあるため、電源の電圧に拘束されることなく、小出力ポンプ５４ａの許容負荷（定格吐出量や定格吐出圧等の性能）が大出力ポンプ５４ｂ，５４ｃの許容負荷（定格吐出量や定格吐出圧等の性能）よりも小さければよい。このようにすることで、小出力ポンプ５４ａを駆動するエネルギーが大出力ポンプ５４ｂ，５４ｃを駆動するエネルギーよりも小さいため、上記実施形態と同様に、復水系統ＷＬａにおけるエネルギーの無駄な消費を抑えることができる。
【００７０】
そして、上記実施形態において、小出力ポンプ５４ａを復水ポンプ５３ａ，５３ｂと同一のものを採用したが、これに限定されるものではなく、例えば、小出力ポンプ５４ａ及び復水ポンプ５３ａ，５３ｂは異なる仕様であってもよい。
【００７１】
上記実施形態において、復水昇圧ポンプ５４ａ，５４ｂ，５４ｃの下流側に、エゼクタ５６、グランドコンデンサ５７、ドレンクーラ５８、低圧給水加熱器５９、及び脱気器６０が並ぶ復水系統ＷＬａについて説明したが、本発明が対象とする復水系統ＷＬａはこれに限定されるものではなく、エゼクタ５６、グランドコンデンサ５７、ドレンクーラ５８、低圧給水加熱器５９、脱気器６０の配置や有無は火力発電設備１の仕様に応じて適宜変更可能である。すなわち、本発明が対象とする復水系統ＷＬａは、少なくとも復水ポンプ５３ａ，５３ｂと脱塩塔５２と復水昇圧ポンプ５４ａ，５４ｂ，５４ｃとを備えたものであればよい。
【００７２】
上記実施形態において、通常の起動から停止までの運転で動作させる復水昇圧ポンプ５４ａ，５４ｂ，５４ｃを設けるようにしたが、例えば、いずれかのポンプが故障したときに代替として使用する非常用の復水昇圧ポンプ（小出力ポンプ及び大出力ポンプ）を設けるようにしてもよい。すなわち、復水系統ＷＬａ内に設けられた復水昇圧ポンプは、起動から停止までの運転において、必ずしも全てのポンプを駆動する必要はない。これは、復水ポンプ５３ａ，５３ｂをはじめとする他のポンプも同様である。
【００７３】
上記実施形態において、発電機３０の定格出力域を１０５ＭＷ以上で３２０ＭＷ以下に、台数切換出力値を１７５ＭＷに、ＬＬＯ域を１０．５ＭＷ以上で１０５ＭＷ未満に設定した場合を一例に説明したが、これに限定されるものではなく、定格出力域、ＬＬＯ域、台数切換出力値は、火力発電設備１の設計仕様に応じて適宜決定すればよい。但し、何れの出力域及び出力値においても、発電機３０が発電した電力を送電している状態、或いは送電できる状態（並列状態）の出力域であることが前提である。
【符号の説明】
【００７４】
１…火力発電設備、１０…ボイラ、１１…蒸発器、１２…過熱器、１３…再熱器、２０…高圧タービン（蒸気タービン）、２１，２２…中圧タービン（蒸気タービン）、２３…低圧タービン（蒸気タービン）、３０…発電機、４０…復水器、５０…電動式給水ポンプ（給水ポンプ）、５１…蒸気駆動式給水ポンプ（給水ポンプ）、５２…脱塩塔、５３ａ，５３ｂ…復水ポンプ、５４ａ…小出力ポンプ（復水昇圧ポンプ）、５４ｂ，５４ｃ…大出力ポンプ（復水昇圧ポンプ）、５５…復水熱交換器、５６…エゼクタ、５７…グランドコンデンサ、５８…ドレンクーラ、５９…低圧給水加熱器、６０…脱気器、７０…高圧給水加熱器、８０，８１…循環ポンプ、８２…取水路、８３…放水路、４００…ハウジング、４０１…冷却管、Ｂ…バルブ、ＳＬ１…第一スチーム管路、ＳＬ２…第二スチーム管路、ＳＬ３…第三スチーム管路、ＳＬ４…第四スチーム管路、ＳＬ５…第五スチーム管路、ＳＬ６…バイパス管路、ＲＬ…循環系統、ＳＬ…蒸気系統、ＷＬａ…復水系統、ＷＬｂ…給水系統
【図１】
2011102539.tif 000003
【図２】
2011102539.tif 000004